(57)【要約】【課題】電気炊飯器において、撹拌羽根や撹拌アームを設けることなく、自動的な洗米・撹拌を可能とする。【解決手段】この発明の課題解決手段は、米等を収容する内鍋と、この内鍋を収容する内鍋収容口および内鍋加熱手段を有する炊飯器本体と、この炊飯器本体の上記内鍋収容口の上部に開閉可能に設けられた蓋体と、上記内鍋加熱手段による内鍋の加熱状態を制御する内鍋加熱制御手段とを備え、炊飯又は調理を実行するようにしてなる電気炊飯器において、上記蓋体側から上記内鍋内に送風する所定の送風手段を設け、該送風手段からの風によって内鍋内の水を旋回させることにより、撹拌羽根や撹拌アームを設けることなく、自動的な洗米・撹拌を可能とした。【選択図】        図１
2014094077.tif 000002
【特許請求の範囲】
【請求項１】
米等を収容する内鍋と、この内鍋を収容する内鍋収容口および内鍋加熱手段を有する炊飯器本体と、この炊飯器本体の上記内鍋収容口の上部に開閉可能に設けられた蓋体と、上記内鍋加熱手段による内鍋の加熱状態を制御する内鍋加熱制御手段とを備え、炊飯又は調理を実行するようにしてなる電気炊飯器において、上記蓋体側から上記内鍋内に送風する送風手段を設け、該送風手段からの風により内鍋内の水を旋回させるようにしたことを特徴とする電気炊飯器。
【請求項２】
送風手段が、蓋体部にあり、蓋体内に設けられた駆動手段により駆動されるようになっていることを特徴とする請求項１記載の電気炊飯器。
【請求項３】
蓋体の下面側には内蓋が回転可能に設けられており、送風手段が、当該内蓋の下面に設けられた送風ブレードであることを特徴とする請求項１又は２記載の電気炊飯器。
【請求項４】
送風手段が、遠心ファンであり、該遠心アファンが蓋体内に設けられていることを特徴とする請求項１又は２記載の電気炊飯器。
【請求項５】
遠心ファンの空気吹出口が、蓋体下面の内鍋内に対応する外周に位置して開口され、内鍋の周方向に向けて所定角傾斜して設けられていることを特徴とする請求項４記載の電気炊飯器。
【発明の詳細な説明】
【技術分野】
【０００１】
この出願の発明は、蓋体側から内鍋内に送風する送風手段を設け、該送風手段からの風により内鍋内の水を旋回させるようにした電気炊飯器の構成に関するものである。
【背景技術】
【０００２】
従来から電気炊飯器には種々の改良が施されて来ており、最近の電気炊飯器の使い勝手や炊飯性能は相当に向上したものとなっている。
【０００３】
しかし、それでも内鍋内に収納する米を洗い、米の量に応じた所定量の水を入れて炊飯するのは同じであり、内鍋内の米を洗う洗米作業は比較的繁雑な作業であり、改善が求められている。
【０００４】
また、一方、これまでの電気炊飯器では、内鍋に対するヒータ、ワークコイル等加熱手段の配置を工夫したり、加熱パターンを変えることにより、炊飯時の内鍋内の対流状態を良好にすることにより、可能なかぎり加熱状態を均一にして、炊飯性能を向上させる努力もなされている。
【０００５】
しかし、そのような加熱方法、対流状態の改善による炊飯性能の向上には限界があり、特に炊飯量が多い時には、有効かつ十分な対流効果を得ることが難しい。
【０００６】
このような事情から、例えば一部に、電気炊飯器の蓋体の下面部に格納可能な折り畳み構造の撹拌羽根又は撹拌アームを設け、該撹拌羽根又は撹拌アームの米撹拌作用によって、人手によらない自動的な洗米を可能とする一方、必要に応じて炊飯中の米を撹拌することにより、自然対流に比べて良好な均一加熱を実現しようとするものが提案されている（例えば特許文献１、特許文献２を参照）。
【先行技術文献】
【特許文献】
【０００７】
【特許文献１】特開平７−２８９４２４号公報
【特許文献２】特開２０１２−１３５６０５号公報
【発明の概要】
【発明が解決しようとする課題】
【０００８】
しかし、上記従来の撹拌手段は、所定の長さの撹拌羽根又は撹拌アームを直接内鍋内に挿入してモータにより回転させるもので、例えば取り付け、取り外し、折り畳みなどの複雑な構造を必要とし、高コストで、しかも使い勝手も悪い欠点がある。
【０００９】
この出願の発明は、以上のような課題を解決するためになされたもので、蓋体側から内鍋内に送風する送風手段を設け、該送風手段からの風により内鍋内の水を旋回させることによって、撹拌羽根・撹拌アーム等を不要とした電気炊飯器を提供することを目的とするものである。
【課題を解決するための手段】
【００１０】
本願発明は、上記の目的を達成するために、次のような課題解決手段を備えて構成されている。
【００１１】
（１）  請求項１の発明
この発明の課題解決手段は、米等を収容する内鍋と、この内鍋を収容する内鍋収容口および内鍋加熱手段を有する炊飯器本体と、この炊飯器本体の上記内鍋収容口の上部に開閉可能に設けられた蓋体と、上記内鍋加熱手段による内鍋の加熱状態を制御する内鍋加熱制御手段とを備え、炊飯又は調理を実行するようにしてなる電気炊飯器において、上記蓋体側から上記内鍋内に送風する送風手段を設け、該送風手段からの風により内鍋内の水を旋回させるようにしたことを特徴としている。
【００１２】
このように、電気炊飯器において、上記蓋体側から上記内鍋内に送風する送風手段を設け、該送風手段からの風によって内鍋内の水を旋回させるようにすると、該旋回流によって内鍋内の米を洗米することができ、また吸水や昇温、沸騰維持工程などにおいても、自然対流を超える有効な対流を形成することができるので、加熱状態が均一になり、炊きムラが解消される。
【００１３】
しかも、送風は内鍋内の蒸気を含む空気を、そのまま旋回させるか、又は一旦吸入して循環させるようにすれば良いから、内鍋内の水の温度を下げることもない。
【００１４】
また、撹拌羽根や撹拌アームのような複雑な構造物が不要であるから、構造も簡単で、コストも低くなる。
【００１５】
もちろん、従来の撹拌羽根や撹拌アームに比べて使い勝手も良く、遥かに便利である。
【００１６】
（２）  請求項２の発明
この発明の課題解決手段は、上記請求項１の発明の課題解決手段の構成において、送風手段が、蓋体部にあり、蓋体内に設けられた駆動手段により駆動されるようになっていることを特徴としている。
【００１７】
このように、送風手段が蓋体部にあり、蓋体内に設けられた駆動手段により駆動されるようになっていると、駆動手段が外部から見えないことはもちろん、蓋体内に設けた駆動手段の駆動軸に外部ファンよりなる送風手段を取り付けたり、あるいは送風手段そのものも蓋体部分に組み込んだり、自由で使い勝手の良い設置が可能となる。
【００１８】
（３）  請求項３の発明
この発明の課題解決手段は、上記請求項１または２の発明の課題解決手段の構成において、蓋体の下面側には内蓋が回転可能に設けられ、送風手段が、内蓋の下面に設けられた送風ブレードであることを特徴としている。
【００１９】
このように、蓋体の下面側には内蓋が回転可能に設けられており、送風手段が、そのような内蓋の下面に設けられた送風ブレードである場合、何らプロペラファン等の別のファンを設けなくても、内蓋の下面にフィン構造のブレードを形成するだけで、旋回流形成のための送風手段を構成することができる。
【００２０】
したがって、別途専用のファンを設置する場合に比べて、遥かに構造もシンプルで、低コストなものになる。
【００２１】
（４）  請求項４の発明
この発明の課題解決手段は、上記請求項１又は２の発明の課題解決手段の構成において、送風手段が、遠心ファンであり、該遠心ファンが蓋体内に設けられていることを特徴としている。
【００２２】
このように、送風手段が、遠心ファンであり、該遠心ファンが蓋体内に設けられていると、外部から駆動手段はもちろん、送風手段も見えないように設置することができ、蓋体そのものを極めてシンプルな、スッキリとしたものに構成することができる。
【００２３】
また、遠心ファンは、大気圧の下で空気を吸い込んで、例えば１０００ｍｍＨ２Ｏ以上となる高圧の空気を吹き出すことも可能な特徴を有するから、小型で蓋体内に容易に設置できる構造のものであっても、十分に内鍋内の水に旋回流を形成することができる。
【００２４】
（５）  請求項５の発明
この発明の課題解決手段は、上記請求項４の発明の課題解決手段の構成において、遠心ファンの空気吹出口が、蓋体下面の内鍋内に対応する外周に位置して開口し、内鍋の周方向に向けて所定角傾斜して設けられていることを特徴としている。
【００２５】
このように、遠心ファンの最終的な空気吹出口が、蓋体下面の内鍋内に対応する外周に位置して開口していて、内鍋の周方向に向けて所定角傾斜して設けられていると、上記高い圧力で吹き出される高速の空気流が内鍋内の水を効果的に旋回方向に回転させるから、十分に洗米等の作業も可能となる。
【発明の効果】
【００２６】
以上の結果、本願発明によると、撹拌羽根や撹拌アームが不要な米の撹拌が可能となり、従来のものに比べて電気炊飯器の構造（特に蓋部の構造）が極めて簡単となる。また、使用時の利便性、使い勝手も向上する。
【図面の簡単な説明】
【００２７】
【図１】図１は、本願発明の実施の形態１に係る電気炊飯器本体の構成を示す左右方向中央部を前後方向に切断して左側の切断面を示す断面図である。
【図２】同電気炊飯器の内蓋部分の下面図である。
【図３】図３は、本願発明の実施の形態２に係る電気炊飯器本体の構成を示す左右方向中央部を前後方向に切断して左側の切断面を示す断面図である。
【図４】同電気炊飯器の主として洗米工程等で使用される水循環型撹拌羽根の構成を示す変形例（参考例）１の断面図である。
【図５】同図５の撹拌羽根に代えて使用される水循環装置の構成を示す変形例（参考例）２の断面図である。
【発明を実施するための形態】
【００２８】
（実施の形態１）
先ず図１および図２は、内鍋内の米や被調理物等を撹拌する送風手段を有する本願発明の実施の形態１に係る電気炊飯器の炊飯器本体部分および内蓋部分の構成をそれぞれ示している。
【００２９】
（炊飯器本体部分の概要）
この電気炊飯器１は、例えば内鍋（飯器）３としてヒータプレート１７による伝熱加熱が可能な例えばクラッド構造の金属板よりなるものが採用されている一方、当該内鍋３に対する炊飯又は保温時の加熱手段として、当該内鍋３の底部３ａの略全体に対応するヒータプレート１７が設けられ、また内鍋３を収容する内ケース（保護枠）４上端側には、当該内鍋３の開口縁部３ｃの全周に対応する肩ヒータＨ３が設けられている。そして、それらヒータプレート１７のヒータＨ１および肩ヒータＨ３をマイコン制御ユニットによって適切に駆動制御することによって適切な炊飯機能と保温機能とを実現できるようになっている。
【００３０】
一方、それらの各機能に対するタイマー予約や炊飯および保温メニューの選択、それら各メニューに対応した加熱量、加熱パターン、保温温度、保温時間などの操作設定、洗米コース、無洗米コースなどの選択設定は、当該電気炊飯器１の前面側操作パネル２０に設けられた各種入力スイッチを介してユーザーにより行われ、その設定内容に応じて、最終的にマイコン基板Ｐ１上のマイコン制御ユニットにより上記ヒータＨ１、肩ヒータＨ３が制御されるようになっている。
【００３１】
また、上記操作パネル２０の中央部には、炊飯、保温、無洗米、洗米その他の各メニュー、各コース、設定された保温温度、設定保温時間並びに現在時刻および炊飯完了までの残時間その他の炊飯、保温に必要な各種の事項を表示する液晶パネル３１ａに対応した透明な表示窓３１が設けられている。
【００３２】
（炊飯器本体部分の詳細な構成）
この電気炊飯器１の炊飯器本体は、例えば図１に示すように、上述した内鍋３と、該内鍋３を任意にセットし得るように形成された合成樹脂製の有底筒状の内ケース（保護枠）４と、該内ケース４を保持する外部筺体である有底筒状の外ケース５と、該外ケース５と上記内ケース４とを一体化して形成された炊飯器本体の開口面上部に開閉可能に設けられた蓋体２とから構成されている。
【００３３】
上記内ケース４の底部４ａ部分に上述したヒータ（メインヒータ）Ｈ１およびヒータプレート１７が設けられ、内鍋３の底部３ａが当接されるようになっており、それにより通電時には内鍋３の底部を加熱して、同底部３ａを介して、その全体を略均一に加熱するようになっている。
【００３４】
また、上記内ケース４の上端部には、内鍋３開口部の加熱手段として機能する肩ヒータＨ３が設けられており、保温時等において上記内鍋３の上部を加熱するようになっている。
【００３５】
また、上記内ケース４の前面部側には、例えばヒータＨ１、さらに後述する蓋ヒータＨ２、肩ヒータＨ３等を、駆動制御するヒータ駆動回路、蓋ヒータ駆動回路、肩ヒータ駆動回路などを備えた制御回路基板Ｐ２が上記マイコン基板Ｐ１の基板カバー下端部分に一体化して設けられている。
【００３６】
この制御回路基板Ｐ２の下部には、例えば放熱用のヒートシンク９が設けられている。
【００３７】
また上記外ケース５は、例えば合成樹脂材で形成された上下方向に筒状のカバー部材５ａと、該カバー部材５ａの上端部に結合された合成樹脂製の肩部材１０と、上記カバー部材５ａの下端部に一体化された合成樹脂製の底部材５ｂとからなり、かつ上記内ケース４の底部４ａとの間に所定の広さの断熱および通風空間部を形成した全体として有底の筒状体に構成されている。
【００３８】
該外ケース５の前面部上方には、その左右両側間に亘って例えば略半月形状の操作パネル２０が設けられている。該操作パネル２０面には、十分に広く大きな表示面積をもつ透明な表示窓２１とタイマー炊飯予約スイッチ、炊飯開始スイッチ、取消スイッチ、保温スイッチ、メニュースイッチ、洗米スイッチ、タイマー用時・分設定スイッチ等の各種入力スイッチが設けられている。そして、操作パネル２０の裏側には、スイッチ機構およびマイコン制御ユニットを備えた上述のマイコン基板Ｐ１が設けられている。
【００３９】
さらに、上記内ケース４下方側の中央部には、ヒータプレート１７部分を上下方向に同心状に貫通したセンタセンサ収納空間部が形成されており、該センタセンサ収納空間部に上下方向に昇降自在な状態で、かつ常時コイルスプリングにより上方に上昇付勢された状態で内鍋温度検知センサよりなるセンタセンサＳ１が設けられている。
【００４０】
一方、符号２は蓋体であり、該蓋体２は、その器体中心部分を構成するとともに調圧用の蒸気キャップ設置溝（調圧用蒸気キャップの設置用凹部）２ｇおよび蒸気パイプ嵌合孔２ｈを有する合成樹脂製のカバー部材２ａと、該カバー部材２ａの外周縁部下方に設けられた合成樹脂製の内枠２ｂと、該内枠２ｂの内側に設けられた蒸気パイプ嵌合孔２ｈを有する金属製の放熱板２ｃとを備えて構成されている。また、放熱板２ｃの下方には、内蓋２３が、後述するモータ軸２１ａに対して着脱可能な状態で設けられている。そして、上記内枠２ｂの内周縁部と放熱板２ｃの外周縁部との間には内鍋３の開口縁部３ｃの内周面に対応するパッキン２ｅ（延びた非当接状態で図示）が設けられ、また内蓋２３の下部には、内鍋３のの開口縁部３ｃの内側にあって、内鍋３内の水Ｗに旋回流を形成する所定翼角以上の翼角をもつ送風用のブレード２３ｂ，２３ｂ・・・が設けられている。
【００４１】
すなわち、この実施の形態の内蓋２３は、図１、図２に示すように、従来の内蓋機能を果たす上板２３ａと、この上板２３ａの下面部に設けられた送風用の複数枚のブレード２３ｂ，２３ｂ・・・とから構成されており、その中心軸部分の嵌合孔のパッキン２２を介して蓋体２内に設置された内蓋回転駆動モータ２１の駆動軸２１ａに着脱可能に取り付けられて水平方向に回転するようになっている。そして、それにより内鍋３内の水Ｗを旋回させる送風手段を構成している。
【００４２】
一方、内蓋２３を回転させる内蓋回転駆動モータ２１は、上記カバー部材２ａ側の筒状の嵌合部２ｉと放熱板２ｃ側の凹状の支持部２ｊとの間に固定して支持されており、その駆動軸２１ａ部分のみを放熱板２ｃの下方に突出させたものとなっている。
【００４３】
このように、電気炊飯器において、上記蓋体２側から上記内鍋３内に送風する送風手段を設け、該送風手段からの風によって内鍋３内の水を強制的に旋回させるようにすると、該旋回流によって内鍋３内の米を洗米することができ、また吸水や昇温、沸騰維持工程などにおいても、自然対流を超える有効な対流を形成することができるので、加熱状態が均一になり、炊きムラが解消される。
【００４４】
しかも、送風は内鍋３内の蒸気を含む高温の空気をそのまま旋回させて吹き付けるようにすれば良いから、内鍋３内の水の温度を下げることもない。
【００４５】
また、従来の撹拌羽根や撹拌アームのような複雑な構造物が不要であるから、蓋部の構造も簡単で、コストも低くなる。
【００４６】
もちろん、従来のものに比べて使い勝手も良く、遥かに便利である。
【００４７】
また、以上のように、送風手段が蓋体２の下方部分にあり、蓋体２内に設けられたモータ２１等の駆動手段により駆動されるようになっていると、駆動手段が外部から見えないことはもちろん、蓋体２内に設けた駆動手段の駆動軸に外部ファンよりなる送風手段を取り付ければ良く、自由で使い勝手の良い設置が可能となる。
【００４８】
また、以上の構成のように、蓋体２の下面側に内蓋２３が回転可能に設けられており、送風手段が、そのような内蓋２３の下面に設けられた送風ブレード２３ｂ，２３ｂ・・・である場合、何らプロペラファン等の別のファンを設けなくても、内蓋２３の下面にフィン構造のブレード２３ｂ，２３ｂ・・・を形成するだけで、旋回流形成のための送風手段を構成することができる。
【００４９】
したがって、別途専用のファンを設置する場合に比べて、遥かに構造もシンプルで、低コストなものになる。
【００５０】
また、上記放熱板２ｃの上面には内鍋３の上部側を加熱する蓋ヒータＨ２が設けられている。
【００５１】
そして、上記構造の蓋体２は、上記外ケース５上部の肩部材１０に対してヒンジ機構１２を介して回動自在に取付けられており、その開放端側には、該蓋体２の所定位置に係合して該蓋ユニット２の上下方向への開閉を行う蓋開閉レバー１３が設けられている。
【００５２】
また、上記蓋体２の蒸気キャップ設置溝２ｇには、図示のような、調圧通路１４ａ，１４ｂを有する調圧用の蒸気キャップ１４が調圧キャップ嵌合孔２ｈに嵌合される形で設けられている。
【００５３】
なお、上記内蓋２３のブレード２３ｂ，２３ｂ・・・は、一定値以上の翼角を有していて、一定回転速度以上の高い回転速度で回転させると、上述のごとく内鍋３内の水にファン回転方向の旋回渦流を形成できるようになっており、洗米工程はもちろん、吸水工程や昇温、沸騰維持工程でも、従来の撹拌羽根や撹拌アームに代る撹拌、対流促進効果が得られるが、例えば低速回転させると、ご飯の冷却などにも適したものとなる。
【００５４】
そのようにした場合、例えば炊き上ったご飯を効率良く冷まし、速やかに設定された保温温度に移行させることができ、ご飯の味を低下させなくて済む。
【００５５】
また、すし飯など、ご飯を扇いで冷ますときなどにも利用することができる。
【００５６】
さらに、連続で炊飯したい場合、すばやく炊飯器本体を冷却し、速やかに次の炊飯を開始することもできる。
【００５７】
そして、このような冷却に際しては、例えば一例として、蓋体２を半開きにした状態で、蓋体２側から内鍋３内に風を送り、冷却できるようにしても良い。
【００５８】
（実施の形態２）
図３は、内鍋内の米を撹拌する撹拌手段として遠心送風機を有し、該遠心送風機によって内鍋内の米を撹拌することができるようにした、本願発明の実施の形態２に係る電気炊飯器の炊飯器本体部分の構成を示している。
【００５９】
（炊飯器全体の概要）
この電気炊飯器１は、例えば内鍋（飯器）３として高効率の電磁誘導加熱が可能なセラミック製の内鍋（土鍋）が採用されている一方、当該内鍋３に対する炊飯時の加熱手段として、合成樹脂製の内ケース（保護枠）４を介して当該内鍋３の底部３ａから側部３ｂの略全体を包み込むように当該内鍋３の底部３ａの中央部側と側部側（コーナー部側）の２ケ所の全周面に対応する第１，第２の２組のワークコイルＣ１，Ｃ２が設けられ、また当該内鍋３に対する保温時の加熱手段として、当該内鍋３の側部３ｂの全周に対応する保温ヒータＨ４が設けられている。そして、それらをマイコン制御ユニットによって適切に駆動制御することによって適切な炊飯機能と保温機能とを実現できるようになっている。
【００６０】
一方、それらの各機能に対するタイマー予約や炊飯および保温メニューの選択、それら各メニューに対応した加熱量、加熱パターン、保温温度、保温時間などの操作設定、洗米コース、無洗米コースの選択設定は、当該電気炊飯器１の前面側操作パネル２０部分に設けられた各種入力スイッチ群を介してユーザーにより行われ、その設定内容に応じて、最終的にマイコン制御ユニットにより上記第１，第２のワークコイルＣ１，Ｃ２および保温ヒータＨ４、蓋ヒータＨ５などが制御されるようになっている。
【００６１】
また、上記操作パネル２０の中央部には、炊飯、保温、無洗米、洗米その他の各メニュー、各コース、設定された保温温度、設定保温時間並びに現在時刻および炊飯完了までの残時間その他の炊飯、保温に必要な各種の事項を表示する液晶パネル２１ａに対応した透明な表示窓２１が設けられている。
【００６２】
（炊飯器本体部分の詳細な構成）
この電気炊飯器１の炊飯器本体は、例えば図３に示すように、内部に誘起されるうず電流によって自己発熱が可能な誘導発熱体Ｇ１，Ｇ２を設けた内鍋３と、該内鍋３を任意にセットし得るように形成された合成樹脂製の有底筒状の内ケース（保護枠）４と、該内ケース４を保持する外部筺体である有底筒状の外ケース５と、該外ケース５と上記内ケース４とを一体化して形成された炊飯器本体の開口面上部に開閉可能に設けられた蓋体２とから構成されている。
【００６３】
上記内ケース４の底部４ａの下方側にはコイル台７が設けられ、その上部には、図示しないフェライトコア収納部８を介し、上記内鍋３の底部３ａの中央部と側方部（コーナー部）の各位置に対応して各々リッツ線が同心状に巻成された第１，第２の２組のワークコイルＣ１，Ｃ２が、それぞれ内鍋３の底部３ａの中心部から側部に到る略全体を包み込むように設けられており、それにより通電時には内鍋３の底部およびアール面部の誘導発熱体Ｇ１，Ｇ２にうず電流を誘起して、その全体を略均一に加熱するようになっている。
【００６４】
そして、同第１，第２のワークコイルＣ１，Ｃ２の一端は、例えばＩＨ回路および整流平滑回路等を介した電源ラインに、また他端はＩＧＢＴ駆動回路（パワートランジスタ）のコレクタ側にそれぞれ接続されている。
【００６５】
また、上記内ケース４の側部４ｂには、保温時において加熱手段として機能する保温ヒータＨ４が設けられており、保温時において上記内鍋３の全体を有効かつ均一に加熱するようになっている。
【００６６】
また、上記内ケース４の前面部側には、例えば第１，第２のワークコイルＣ１，Ｃ２、保温ヒータＨ４、蓋ヒータＨ５等を駆動制御する、上記ＩＧＢＴ駆動回路や保温ヒータ駆動回路、蓋ヒータ駆動回路、電源電圧整流用のダイオードブリッジよりなる整流平滑回路などを備えた制御回路基板Ｐ２が上下方向に立設して設けられている。
【００６７】
この制御回路基板Ｐ２の下部には、例えば上記ＩＧＢＴ駆動回路のパワートランジスタに接して放熱用のヒートシンク９が設けられ、その下部側には冷却ファン１１が設けられている。冷却ファン１１は、上記外ケース１の底部材５ｂ部分に形成された空気吸込グリル６部分から吸入した空気を上記ヒートシンク９および制御基板Ｐ２を介して内ケース４の外周囲に流し、必要な発熱部の冷却を行う。
【００６８】
また上記外ケース５は、例えば合成樹脂材で形成された上下方向に筒状のカバー部材５ａと、該カバー部材５ａの上端部に結合された合成樹脂製の肩部材１０と、上記カバー部材５ａの下端部に一体化された合成樹脂製の底部材５ｂとからなり、かつ上記内ケース４の底部４ａとの間に所定の広さの断熱および通風空間部を形成した全体として有底の筒状体に構成されている。
【００６９】
該外ケース５の前面部上方には、その左右両側間に亘って例えば略半月形状の操作パネル２０が設けられている。該操作パネル２０面には、十分に広く大きな表示面積をもつ透明な表示窓３１とタイマー炊飯予約スイッチ、炊飯開始スイッチ、取消スイッチ、保温スイッチ、メニュースイッチ、洗米スイッチ、タイマー用時・分設定スイッチ等の各種入力スイッチが設けられている。そして、操作パネル２０の裏側には、スイッチ機構およびマイコン制御ユニットを備えたマイコン基板Ｐ１が設けられている。
【００７０】
さらに、上記内ケース４下方側のコイル台７の中央部には、上下方向に同心状に貫通したセンタセンサ収納空間部が形成されており、該センタセンサ収納空間部中に上下方向に昇降自在な状態で、かつ常時コイルスプリングにより上方に上昇付勢された状態で内鍋温度検知センサよりなるセンタセンサＳ１が設けられている。
【００７１】
一方、符号２は蓋体であり、該蓋体２は、その器体中心部分を構成するとともに調圧用の蒸気キャップ設置溝（調圧用蒸気キャップ１４の設置用凹部）２ｇおよび蒸気キャップ１４の蒸気パイプ嵌合孔２ｈを有する合成樹脂製のカバー部材２ａと、該カバー部材２ａの外周縁部下方に設けられた合成樹脂製の内枠２ｂと、該内枠２ｂの内側に設けられた、カバー部材２ａと同様に蒸気パイプ嵌合孔２ｈを有する金属製の放熱板２ｃとを備えて構成されている。また、放熱板２ｃの下方には、内蓋２ｄが着脱可能な状態で設けられている。そして、上記内枠２ｂの内周縁部と放熱板２ｃの外周縁部との間には内蓋２ｄの上縁部内周面に対応するパッキン２ｅが設けられ、また内蓋２ｄの外周には、内鍋３の開口縁部３ｃに対応するパッキン２ｆが設けられている。さらに、放熱板２ｃの上面には内鍋３の上部側を加熱する蓋ヒータＨ５が設けられている。
【００７２】
この蓋体２は、上記外ケース５上部の肩部材１０に対してヒンジ機構１２を介して回動自在に取付けられており、その開放端側には、該蓋体２の所定位置に係合して該蓋ユニット２の上下方向への開閉を行う蓋開閉レバー１３が設けられている。
【００７３】
ところで、図３中における符号１５は、遠心ファンであり、この遠心ファン１５は、例えば送風圧の高いブロアファン（ターボファン）により構成されている。
【００７４】
符号１５ａは、同遠心ファン１５の渦巻状のファンケーシングであり、その一側面に空気吸込口１５ｂ、遠心方向終端に筒状の空気吹出口１５ｄを有しているとともに、空気吸込口１５ｂと同軸方向に多数枚の羽根を備えた遠心羽根車１５ｃが設けられている。この遠心羽根車１５ｃの各羽根は、羽根車１５ｃの回転方向に対して後向きの曲がりを有しており、羽根幅は狭く、高速回転に適したものとなっている。羽根車１５ｃは、モータにより回転駆動される。
【００７５】
そして、同ファンケーシング１５ａは、上記蓋体２の後部側に位置し、カバー部材２ａと放熱板２ｃとの間のスペースを利用して設置されており、その筒状の空気吹出口１５ｄは、放熱板２ｃの開口部を貫通してファンケーシング１５ａ側に臨まされた空気ダクト１６の通路部上端１６ａ内に嵌合せしめられている。
【００７６】
空気ダクト１６の通路部は、上記放熱板２ｃの開口部分から、それよりも下方の内蓋２ｄの開口部を貫通する形で下方に所定長さ長く延びており、その下端側所定の長さの延設部分１６ｂを、内鍋３の開口縁部３ｃの内側周辺で周方向に所定の角度傾斜させ。かつ少し内向きにして開口させている。
【００７７】
他方、上記ファンケーシング１５ａの空気吸込口１５ｂは、図示していないが、放熱板２ｃを貫通した所定の蒸気導入通路を介して内鍋３内の蒸気を吸入するようになっている。
【００７８】
この遠心ファン（ブロアファン）１５は、大気圧の下で空気を吸い込んで、例えば１０００ｍｍＨ２Ｏ（水柱）以上となる高圧の空気を吹き出すことが可能な特徴を有することから、図示のように小型で蓋体内に容易に設置できる構造のものであっても、十分に内鍋３内の水に旋回流を形成することができる。
【００７９】
そして、この実施の形態の遠心ファン１５では、その空気吹出口１５ｄが、蓋体２下面側の内蓋２ｄ部分から下方に延び、その下端側が内鍋３内に対応する外周に位置して開口していて、内鍋３の周方向（水旋回方向）に向けて高圧の空気を吹き出すように設けられているから、上記高い圧力で吹き出される高速の空気流が内鍋３内の水を効果的に旋回方向に回転させることになる。
【００８０】
したがって、このような構成によると、蓋体２部分に従来のような撹拌羽根や撹拌アーム等の複雑な機械的構造物を設けることなく、上述の実施の形態１のもの以上の有効な米の撹拌効果を得ることができ、洗米はもちろん、吸水、沸騰維持工程等の炊飯工程でも有効な米の撹拌による均一な加熱を実現することができる。
【００８１】
そして、このように、送風手段が遠心ファン１５である場合、該遠心ファン１５を蓋体２内に確実に収納することができ、外部から駆動手段はもちろん、送風手段も全く見えないように設置することができ、蓋体２そのものを極めてシンプルな、スッキリとしたものに構成することができる。
【００８２】
なお、図３中の符号１４は、蓋体２中央の蒸気キャップ設置溝２ｇ部分に設置された調圧用の蒸気キャップであり、調圧通路１４ａ，１４ｂ、調圧ボール１２ｃを備えている。
【００８３】
また、符号Ｓ２は、内蓋２ｄ部分に設けられた蒸気センサである。
【００８４】
（変形例１）
図４は、例えば、上述の実施の形態１の電気炊飯器において採用し得る変形例１の構成を示している。
【００８５】
この変形例の構成では、上述の内蓋２３回転用の駆動モータ２１の駆動軸２１ａに対して、上述した内蓋２３に代えて図示のような、内部に水循環通路２７、ろ過フィルタ２８、水循環ポンプ２９を有する所定の板厚の回転円板２６および撹拌羽根２６ａ，２６ｂを取り付け、同撹拌羽根２６ａ，２６ｂによる米の撹拌および内鍋３内の水の循環浄化（洗米後の米糠の除去）を可能としたものである。
【００８６】
このような構成によると、上記内蓋駆動モータ２１により、回転円板２６を介して撹拌羽根２６ａ，２６ｂを回転させることにより、内鍋３内の米を撹拌し、洗米することができる。
【００８７】
また、吸水や沸騰維持工程でも、所望の速度で米を撹拌し、均一な加熱を可能とすることができる。
【００８８】
一方、上記洗米終了後においては、上述の回転を止め、上記回転円板２６内の水循環ポンプ２９を駆動し、水循環通路２７を介して、洗米後の「糠（ぬか）」成分を含む水Ｗを循環させ、ろ過フィルタ２８で「糠（ぬか）」成分を捕集することによって、水Ｗを清浄化する。
【００８９】
その結果、以後は、従来のように洗米後の水を捨てることなく、そのまま炊飯工程に移ることができ、全自動での洗米、炊飯が可能になる。
【００９０】
なお、図４の符号２６ｃは、撹拌羽根２６ａ，２６ｂを一体化した回転円板２６のモータ駆動軸２１ａに対する着脱可能な取り付け部を示している。
【００９１】
（変形例２）
次に、図５は、例えば、上記実施の形態２の電気炊飯器に適用される図４と同様の洗米後の水Ｗの浄化装置の構成を示している。
【００９２】
上述した実施の形態２の場合、実施の形態１のような内蓋等の回転駆動手段を備えていない。
【００９３】
そこで、図示のように、ろ過フィルタ２８、水循環ポンプ２９部分を内ケース４の外側、外ケース５との間に設置し、水循環通路３０ａ（吸入側）、３０ｂ（戻し側）を介して内鍋３内に連通させた構成としている。
【００９４】
このような構成によっても、上記図４の場合と全く同様の洗米後の水Ｗの浄化を図ることができる。
【００９５】
（変形例３）
上述の実施の形態１では、内蓋２３の回転駆動部（モータ２１）を別途蓋体２の中央部に設けたが、例えば蓋体２の中央部に調圧用の蒸気キャップ嵌合孔２ｈがある場合、同部分を利用して着脱自由に設けることもできる。
【符号の説明】
【００９６】
２：蓋体、２ａ：カバー部材、２ｂ：内枠、２ｃ：放熱板、２ｄ：内蓋、２ｅ：パッキン、２ｆ：パッキン、２ｇ：蒸気キャップ設置溝、２ｈ：蒸気キャップ嵌合孔、３：内鍋、３ａ：内鍋底部、３ｂ：内鍋側部、３ｃ：内鍋開口縁部、４：内ケース、４ａ：内ケース底部、４ｂ：内ケース側部、５：外ケース、５ａ：外ケース筒状部材、５ｂ：底部材、６：空気吸込グリル、１３：蓋開閉レバー、１４：調圧用蒸気キャップ、１５：遠心ファン、１５ａ：ファンケーシング、１５ｂ：空気吸込口、１５ｃ：遠心羽根車、１５ｄ：空気吹出口、１６：空気ダクト、２１：内蓋駆動モータ、２１ａ：モータ駆動軸、２０：操作パネル、２３：内蓋、２３ａ：内蓋の上板、２３ｂ：ブレード、３１：表示窓、３１ａ：液晶パネル、Ｐ１：マイコン基板、Ｐ２：制御基板、Ｓ１：センターセンサー、Ｃ１，Ｃ２：第１，第２のワークコイルである。
【図１】
2014094077.tif 000003
【図２】
2014094077.tif 000004
【図３】
2014094077.tif 000005
【図４】
2014094077.tif 000006
【図５】
2014094077.tif 000007
【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
米等を収容する内鍋と、この内鍋を収容する内鍋収容口および内鍋加熱手段を有する炊飯器本体と、この炊飯器本体の上記内鍋収容口の上部に開閉可能に設けられた蓋体と、上記内鍋加熱手段による内鍋の加熱状態を制御する内鍋加熱制御手段とを備え、炊飯又は調理を実行するようにしてなる電気炊飯器において、上記蓋体側から上記内鍋内に送風する送風手段を設け、該送風手段からの風により内鍋内の水を旋回させるようにしたことを特徴とする電気炊飯器。
【請求項２】
送風手段が、蓋体部にあり、蓋体内に設けられた駆動手段により駆動されるようになっていることを特徴とする請求項１記載の電気炊飯器。
【請求項３】
蓋体の下面側には内蓋が回転可能に設けられており、送風手段が、当該内蓋の下面に設けられた送風ブレードであることを特徴とする請求項１又は２記載の電気炊飯器。
【請求項４】
送風手段が、遠心ファンであり、該遠心ファンが蓋体内に設けられていることを特徴とする請求項１又は２記載の電気炊飯器。
【請求項５】
遠心ファンの空気吹出口が、蓋体下面の内鍋内に対応する外周に位置して開口され、内鍋の周方向に向けて所定角傾斜して設けられていることを特徴とする請求項４記載の電気炊飯器。
【手続補正２】
【補正対象書類名】明細書
【補正対象項目名】００４０
【補正方法】変更
【補正の内容】
【００４０】
一方、符号２は蓋体であり、該蓋体２は、その器体中心部分を構成するとともに調圧用の蒸気キャップ設置溝（調圧用蒸気キャップの設置用凹部）２ｇおよび蒸気パイプ嵌合孔２ｈを有する合成樹脂製のカバー部材２ａと、該カバー部材２ａの外周縁部下方に設けられた合成樹脂製の内枠２ｂと、該内枠２ｂの内側に設けられた蒸気パイプ嵌合孔２ｈを有する金属製の放熱板２ｃとを備えて構成されている。また、放熱板２ｃの下方には、内蓋２３が、後述するモータ軸２１ａに対して着脱可能な状態で設けられている。そして、上記内枠２ｂの内周縁部と放熱板２ｃの外周縁部との間には内鍋３の開口縁部３ｃの内周面に対応するパッキン２ｅ（延びた非当接状態で図示）が設けられ、また内蓋２３の下部には、内鍋３の開口縁部３ｃの内側にあって、内鍋３内の水Ｗに旋回流を形成する所定翼角以上の翼角をもつ送風用のブレード２３ｂ，２３ｂ・・・が設けられている。